(57)【特許請求の範囲】
【請求項１】
第１フレームと、
前記第１フレームに連結され、且つ、水路の内部の塵芥を捕捉するために設けられたスクリーンユニットと、
前記第１フレームに取り付けられた第１スプロケットと、
前記第１フレームの上方に位置し、且つ、前記第１フレームに連結された第２フレームと、
前記第２フレームに取り付けられた第２スプロケットと、
前記第１スプロケットおよび前記第２スプロケットに接続され、且つ、前記第１フレームおよび前記第２フレームの延在方向に沿って設けられたチェーンと、
前記チェーンに取り付けられ、且つ、前記塵芥を掻き揚げるために設けられたレーキと、
を有し、
前記第１フレームの下部は、平坦部と、前記スクリーンユニットから離れる方向へ向かって、前記平坦部に対して傾斜している傾斜部とを含み、
前記傾斜部は、前記水路の平坦な側壁に固定するために設けられている、除塵機。
【請求項２】
請求項１に記載の除塵機において、
前記平坦部および前記傾斜部は、１つの部材からなる、除塵機。
【請求項３】
請求項１に記載の除塵機において、
前記傾斜部は、前記平坦部と別の部材からなり、且つ、前記平坦部と着脱が可能である、除塵機。
【請求項４】
請求項１に記載の除塵機において、
前記第１フレームの下端および前記スクリーンユニットを覆うように、前記第１フレームに設けられた塞ぎ板を更に有する、除塵機。
【請求項５】
請求項１に記載の除塵機において、
前記除塵機の右方側および左方側には、それぞれ前記第１フレームが設けられ、
前記除塵機の右方側の前記傾斜部には、前記除塵機の左方側に延在し、且つ、第１ナットに接続された第１ボルトが取り付けられ、
前記除塵機の左方側の前記傾斜部には、前記除塵機の右方側に延在し、且つ、前記第１ナットに接続された第２ボルトが取り付けられている、除塵機。
【請求項６】
水路に用いられる除塵機の設置方法であって、
前記除塵機は、
第１フレームと、
前記第１フレームに連結され、且つ、前記水路の内部の塵芥を捕捉するために設けられたスクリーンユニットと、
前記第１フレームに取り付けられた第１スプロケットと、
前記第１フレームの上方に位置し、且つ、前記第１フレームに連結された第２フレームと、
前記第２フレームに取り付けられた第２スプロケットと、
前記第１スプロケットおよび前記第２スプロケットに接続され、且つ、前記第１フレームおよび前記第２フレームの延在方向に沿って設けられたチェーンと、
前記チェーンに取り付けられ、且つ、前記塵芥を掻き揚げるために設けられたレーキと、
を有し、
前記第１フレームの下部は、平坦部と、前記スクリーンユニットから離れる方向へ向かって、前記平坦部に対して傾斜している傾斜部とを含み、
前記傾斜部は、前記水路の平坦な側壁に固定するために設けられ、
前記除塵機の下端が前記水路の底壁から離れるように、前記除塵機を前記水路の内部に設置する、除塵機の設置方法。
【請求項７】
請求項６に記載の除塵機の設置方法において、
（ａ）前記平坦部および前記傾斜部が前記水路の平坦な前記側壁に対向するように、前記除塵機を前記水路の内部へ搬送する工程、
（ｂ）前記傾斜部に取り付けられた第１ボルトを調整し、前記第１ボルトを前記水路の平坦な前記側壁に押し付ける工程、
（ｃ）前記第１ボルトが前記水路の平坦な前記側壁に押し付けられた状態で前記第１ボルトを調整し、前記傾斜部が前記平坦部と平行になる方向へ向かって、前記傾斜部を押し出す工程、
を有する、除塵機の設置方法。
【請求項８】
請求項７に記載の除塵機の設置方法において、
前記（ａ）工程は、前記第１フレーム、前記スクリーンユニットおよび前記第１スプロケットを含む水路内構造部と、前記第２フレームおよび前記第２スプロケットを含む水路外構造部とが、一体化された状態で行われる、除塵機の設置方法。
【請求項９】
請求項６に記載の除塵機の設置方法において、
前記除塵機は、前記第１フレームの下端および前記スクリーンユニットを覆うように、前記第１フレームに設けられた塞ぎ板を更に有し、
前記塞ぎ板が前記スクリーンユニットよりも前記水路の上流側に設けられるように、前記除塵機は前記水路の内部に設置される、除塵機の設置方法。
【発明の詳細な説明】
【技術分野】
【０００１】
本発明は、除塵機およびその設置方法に関し、例えば、スクリーンユニットで捕捉された塵芥をレーキによって水路の外部へ排出可能な除塵機に好適に利用できる。
【背景技術】
【０００２】
従来、下水処理場、上水処理場、ポンプ場または揚排水機場などには、水路の水に含まれる塵芥を除去するために除塵機が設置される。除塵機は、バースクリーン、水路内フレーム、ベース部材およびフレームなどの本体部材に加えて、レーキ、チェーンおよびスプロケットなどの付属部材を備える。
【０００３】
一般的に、除塵機を用いることで、水路の内部に配置されたバースクリーンによって、水路を流れる塵芥が捕捉される。捕捉された塵芥は、バースクリーンの前面に沿って上昇するレーキによって掻き揚げられ、掻き揚げられた塵芥は、レーキの上昇端付近に設けられたコンベアまたはコンテナの内部に落下し、水路から除去される。また、除塵機におけるレーキの駆動方式として、ピンラック式またはダブルチェーン式が広く知られている。例えば、下記の特許文献１および特許文献２には、そのような除塵機が開示されている。
【先行技術文献】
【特許文献】
【０００４】
【特許文献１】特開昭５２−８９２２１号公報
【特許文献２】特開２０１８−８０４９３号公報
【発明の概要】
【発明が解決しようとする課題】
【０００５】
一般的な除塵機の設置では、土木構造物に基礎ボルトを施工した後、水路の両側壁に水路内フレームなどの本体部材を固定し、付属部材を本体部材に取り付けるという組立作業が、現地で行われる。そのため、現地における除塵機の設置に多くの工数を要していた。特に、規模の小さい中継ポンプ場などにおける除塵機の設置では、水路数が少ないので、水路を止水しない状況において除塵機の設置を行う場合がある。そのため、設置費用が高くなる問題がある。従って、設置を行い易く、設置期間の短縮を図ることが可能となる除塵機の開発が望まれている。また、フレームと水路との間の固定力を向上させ、除塵機の安定性を向上させる技術が望まれる。
【０００６】
その他の課題と新規な特徴は、本明細書の記述および添付図面から明らかになる。
【課題を解決するための手段】
【０００７】
一実施の形態によれば、除塵機は、第１フレームと、前記第１フレームに連結され、且つ、水路の内部の塵芥を捕捉するために設けられたスクリーンユニットと、前記第１フレームに取り付けられた第１スプロケットと、前記第１フレームの上方に位置し、且つ、前記第１フレームに連結された第２フレームとを有する。また、除塵機は、前記第２フレームに取り付けられた第２スプロケットと、前記第１スプロケットおよび前記第２スプロケットに接続され、且つ、前記第１フレームおよび前記第２フレームの延在方向に沿って設けられたチェーンと、前記チェーンに取り付けられ、且つ、前記塵芥を掻き揚げるために設けられたレーキとを有する。ここで、前記第１フレームの下部は、平坦部と、前記スクリーンユニットから離れる方向へ向かって、前記平坦部に対して傾斜している傾斜部とを含む。
【０００８】
また、一実施の形態によれば、除塵機の設置方法は、前記除塵機の下端が前記水路の底壁から離れるように、前記除塵機を水路の内部に設置することを特徴とする。
【発明の効果】
【０００９】
一実施の形態によれば、設置が容易な除塵機を提供することができる。また、設置期間の短縮が図れる除塵機を提供することができる。また、フレームと水路との間の固定力を向上させることができる。
【図面の簡単な説明】
【００１０】
【図１】実施の形態１における除塵機を示す斜視図である。
【図２】実施の形態１における除塵機を示す正面図である。
【図３】実施の形態１における除塵機を示す側面図である。
【図４】実施の形態１における除塵機を示す側面図である。
【図５】実施の形態１における除塵機の一部を示す平面図である。
【図６】実施の形態１における除塵機の下部付近を示す拡大側面図である。
【図７】実施の形態１における除塵機の下部付近を示す平面図である。
【図８】実施の形態１における除塵機の下部付近を示す平面図である。
【図９Ａ】除塵機を水路に設置するための設置方法を示す拡大平面図である。
【図９Ｂ】図９Ａに続く設置方法を示す拡大平面図である。
【図９Ｃ】図９Ｂに続く設置方法を示す拡大平面図である。
【図１０】実施の形態２における除塵機の下部付近を示す平面図である。
【図１１】実施の形態２における除塵機の下部付近を示す平面図である。
【図１２】実施の形態２における除塵機の下部付近を示す拡大側面図である。
【図１３】実施の形態２における除塵機の下部付近を示す拡大側面図である。
【図１４】実施の形態３における除塵機を示す正面図である。
【図１５】実施の形態３における除塵機の下部付近を示す拡大側面図である。
【図１６】実施の形態４における除塵機を示す正面図である。
【図１７】実施の形態４における除塵機の下部付近を示す平面図である。
【発明を実施するための形態】
【００１１】
以下、実施の形態を図面に基づいて詳細に説明する。なお、実施の形態を説明するための全図において、同一の機能を有する部材には同一の符号を付し、その繰り返しの説明は省略する。また、以下の実施の形態では、特に必要なとき以外は同一または同様な部分の説明を原則として繰り返さない。
【００１２】
また、実施の形態で用いられる図面では、図面を見易くするために、ハッチングが省略されている場合もあるし、ハッチングが付されている場合もある。
【００１３】
なお、本願において説明されるＸ方向およびＹ方向は互いに直交し、Ｘ方向およびＹ方向からなる面は平面となる。また、Ｚ方向は、Ｘ方向およびＹ方向に直交し、上記平面に垂直な鉛直方向である。本願では、Ｚ方向をある構造体の厚さ方向または高さ方向として説明する場合もある。
【００１４】
また、本願において、Ｘ方向は互いに反対方向のＸ１方向およびＸ２方向を含み、Ｙ方向は互いに反対方向のＹ１方向およびＹ２方向を含み、Ｚ方向は互いに反対方向のＺ１方向およびＺ２方向を含む。以下では、Ｘ１方向を前方向とし、Ｘ２方向を後方向とし、Ｙ１方向を左方向とし、Ｙ２方向を右方向とし、Ｚ１方向を下方向とし、Ｚ２方向を上方向として説明を行う場合もある。
【００１５】
（実施の形態１）
以下に、図１〜図５を用いて実施の形態１における除塵機１の概要を説明し、図６〜図８および図９Ａ〜図９Ｃを用いて除塵機１の下部付近の構造および除塵機１の設置方法を詳細に説明する。
【００１６】
＜除塵機１の概要＞
図１は、Ｘ１方向側、Ｙ２方向側およびＺ２方向側から見た除塵機１を示す斜視図であり、図２は、Ｘ１方向側から見た除塵機１を示す正面図である。図３および図４は、Ｙ２方向側から見た除塵機１を示す側面図であり、図５は、除塵機１のうちフレーム１１ａ、スクリーンユニット１２およびレーキ１３などをＺ２方向側から見た平面図である。なお、図３の側面図は、除塵機１の右端付近を示し、図４の側面図は、除塵機１の中央付近を示している。図４には、実際には本体スプロケット３５、本体チェーン３６および水中部スプロケット３７は存在しないが、ここでは比較対象として、これらを敢えて図示している。
【００１７】
図１〜図５に示されるように、除塵機１は、例えば下水処理場または上水処理場のような沈砂池設備に設けられる水路Ｗ１に用いられる。水路Ｗ１は、左右の側壁Ｗ１ｓ、底壁Ｗ１ｂおよびスラブ（上壁）Ｗ１ｔによって囲まれた断面形状を成す。水路Ｗ１には塵芥などを含む水が流れている。水路Ｗ１の内部において、水面Ｗｔは、上記水の上面を示し、上記水は、図中の白矢印で示される流水方向Ｗｄに流れている。
【００１８】
水路Ｗ１に除塵機１が設置された場合、水路Ｗ１を流れる塵芥は、スクリーンユニット１２によって捕捉され、補足された塵芥は、連続的または間欠的に作動するレーキ１３によって、上方へ掻き揚げられる。掻き揚げられた塵芥は、除塵機１の後方に備えられたコンテナ１８に収容され、コンテナ１８を除塵機１の外部へ移送することで、塵芥は排出される。
【００１９】
図２〜図４に示されるように、実施の形態１における除塵機１は、水路Ｗ１の内部に配置される水路内構造部１ａと、水路Ｗ１の外部に配置される水路外構造部１ｂとを備える。以下では、主に、水路内構造部１ａおよび水路外構造部１ｂが一体化されている場合を説明するが、水路内構造部１ａおよび水路外構造部１ｂは、個別に分割可能である。
【００２０】
まず、水路内構造部１ａについて説明する。水路内構造部１ａは、主に、左右一対のフレーム（水路内フレーム）１１ａと、スクリーンユニット１２と、水中部スプロケット３７とを備える。
【００２１】
フレーム１１ａは、板状を呈し、水路Ｗ１の側壁Ｗ１ｓに沿って配置され、後ろ斜め上方向に延在している。フレーム１１ａの上端部は、スラブＷ１ｔに形成された開口部を通過し、水路Ｗ１の外部においてフレーム１１ｂとして延在している。また、水路Ｗ１の内部において、フレーム１１ａの下部は、水路Ｗ１を流れる水が通過可能となるように、開口されている。また、フレーム１１ａの前端部には、ボルトなどによって複数のフレーム（前方部フレーム）１１ｃが固定されている。複数のフレーム１１ｃは、上下方向に所定の間隔を空けて配置されている。これらのフレーム１１ａ〜１１ｃは、個別の部材であるが、それぞれボルト締結構造として連結され、フレーム１１として一体化されている。
【００２２】
図５に示されるように、スクリーンユニット１２は、Ｙ方向において互いに離間するように配列された複数のバースクリーン（棒状部材、板状部材）１２ａを含む。スクリーンユニット１２は、フレーム１１ａに連結され、フレーム１１ａの傾斜に対応した状態、すなわち、流水方向Ｗｄに対して所定角度に傾斜した状態または垂直の状態で、フレーム１１ａの後端に固定されている。複数のバースクリーン１２ａの間隔よりも大きい塵芥は、スクリーンユニット１２によって堰き止められ、スクリーンユニット１２の前方側に滞留する。このようにスクリーンユニット１２は、上流側を流れる水から塵芥を分離する機能を備える。
【００２３】
また、スクリーンユニット１２の後方は、複数のバースクリーン１２ａに接続するようにＹ方向に架け渡された支持部材１２ｂで補強されている。支持部材１２ｂは、Ｚ方向に所定の間隔を空けて２個以上配置される場合もあるし、水路Ｗ１の環境によっては設置されない場合もある。
【００２４】
図１〜図４に示されるように、フレーム１１ａの下部には、水中部スプロケット（歯車）３７が取り付けられ、水中部スプロケット３７および水路外構造部１ｂの本体スプロケット（歯車）３５には、無端チェーンである本体チェーン３６が接続されている。本体チェーン３６は、フレーム１１ａおよびフレーム１１ｂの延在方向に沿って設けられている。
【００２５】
本体チェーン３６には、レーキ１３が取り付けられ、本体スプロケット３５が回転することで本体チェーン３６が駆動し、レーキ１３を所定の軌跡で周回させることが可能となる。例えば図３に示されるように、フレーム１１ａおよびフレーム１１ｂにはガイドレール１４が設けられ、レーキ１３は、ガイドレール１４に沿って周回する。
【００２６】
なお、図５に示されるように、レーキ１３は、スクリーンユニット１２側において櫛歯形状を成す。櫛歯形状は、複数の歯からなり、複数の歯は、複数のバースクリーン１２ａの間を通過できるように設計されている。
【００２７】
また、図５に示されるように、フレーム１１ａの前端部には、ボルトなどによって仕舞部材２１が固定されている。仕舞部材２１は、水路Ｗ１の側壁Ｗ１ｓとフレーム１１ａとの間の隙間を塞ぐように設けられ、水路Ｗ１の側壁Ｗ１ｓに接する位置に設けられる。仕舞部材２１は、フレーム１１ａの前端部よりも前方（Ｘ１方向）へ延在している。これにより、水路Ｗ１を流れる水および塵芥が、スクリーンユニット１２へ集束するように誘導される。
【００２８】
次に、水路外構造部１ｂについて説明する。水路外構造部１ｂは、主に、ベース部材（水路上ベース部材）１５と、フレーム（水路外フレーム）１１ｂと、本体スプロケット３５とを備える。
【００２９】
ベース部材１５は、フレーム１１ａとフレーム１１ｂとの間に位置している。ベース部材１５、フレーム１１ａおよびフレーム１１ｂは、互いに連結し、一体化している。ベース部材１５は、平面視において四角形状を成し、スラブＷ１ｔの開口部の縁部に配置され、前後左右にフランジ状に張り出して形成されている。図２および図３に示されるように、ベース部材１５は、複数のアンカーボルト２０のような固定手段によってスラブＷ１ｔに固定されている。
【００３０】
フレーム１１ｂは、板状部材などを組み合わせた筐体を成し、フレーム１１ａに連結され、後ろ斜め上方に延在している。図３および図４に示されるように、フレーム１１ｂは、前面カバー１１ｂｆ、上面カバー１１ｂｔおよび後面カバー１１ｂｂを有する。これらに囲まれた内部空間に、レーキ１３、本体チェーン３６、本体スプロケット３５、エプロン１６、ワイパー１７およびコンテナ１８などが収容されている。
【００３１】
実施の形態１におけるレーキ１３の駆動方式には、ダブルチェーン駆動式が採用される。図１に示されるように、電動機３１によって一方の駆動スプロケット３３に適切な回転が加えられる。一方の駆動スプロケット３３の回転は、駆動チェーン３２を介して他方の駆動スプロケット３３に伝達される。他方の駆動スプロケット３３に接続された駆動軸３４が回転することで本体スプロケット３５が回転し、本体スプロケット３５に接続された本体チェーン３６が駆動され、レーキ１３を所定の軌跡で周回させることが可能となる。
【００３２】
前面カバー１１ｂｆには、開閉可能な扉がヒンジを介して設けられている。エプロン１６およびワイパー１７はフレーム１１ｂに取り付けられ、エプロン１６と後面カバー１１ｂｂとの間の空間にコンテナ１８が内蔵されている。レーキ１３によって掻き揚げられた塵芥は、エプロン１６に沿って上方へ搬送され、ワイパー１７によって払い出され、コンテナ１８へと排出される。また、後面カバー１１ｂｂには開閉可能な扉が形成され、上記開閉扉を介してコンテナ１８を取り出すことができる。なお、収容部の側面にも扉を設け、この扉を介してコンテナ１８を取り出してもよい。
【００３３】
また、ワイパー１７がレーキ１３から塵芥を排出する動作の完了時には、動作音が発生するが、フレーム１１ｂには緩衝装置が設けられ、ワイパー１７の周囲は各カバー（１１ｂｆ、１１ｂｔ、１１ｂｂ）によって覆われている。そのため、上記動作音が除塵機１の外部へ漏れることを抑制できる。なお、ワイパー１７は各カバーで覆われているので、運転状況の確認が困難な場合も考えられる。そこで、ワイパー１７の近傍にカメラを設置し、カメラを介して塵芥の排出動作を監視することもできる。
【００３４】
また、水路外構造部１ｂにはコンテナ１８が設けられているので、コンベアなどの設備を別途設けるものに比べて、実施の形態１の除塵機１は据付性に優れる。コンテナ１８を内蔵することによって、除塵機１としての機能が完結されるので、除塵に関するコストを低減することができる。なお、取り合いは機能上、コンベアとしても差し支えはない。
【００３５】
なお、除塵機１を構成する各部材の寸法は、コンクリートなどから形成される水路Ｗ１の幅および深さに合わせて設定される。また、除塵機１は、水中および多湿環境において使用される。このため、フレーム１１、スクリーンユニット１２およびレーキ１３などのような各部材は、耐食性および耐摩耗性に優れた材質からなり、例えば、ステンレス鋼または合成樹脂などからなる。特に、ステンレス鋼を使用する場合、耐食性を考慮して、ステンレス鋼の表面に塗装または樹脂コーティングなどを施すことで、腐食に対する耐久性を更に向上させることも可能である。
【００３６】
＜水路Ｗ１への除塵機１の設置について＞
実施の形態１では、水路内構造部１ａおよび水路外構造部１ｂが一体化された除塵機１を水路Ｗ１の内部に設置することが可能である。従って、現場における組立作業の工数が非常に少ないので、除塵機１の設置を行い易くなり、除塵機１の設置期間を大幅に短縮することができる。
【００３７】
なお、実施の形態１では、主に、水路外構造部１ｂおよび水路内構造部１ａが一体化された除塵機１について説明しているが、水路外構造部１ｂおよび水路内構造部１ａは個別に分割可能である。その場合、水路外構造部１ｂおよび水路内構造部１ａを個別に現場へ搬送し、現場にて、水路外構造部１ｂおよび水路内構造部１ａを一体化させてもよい。
【００３８】
また、除塵機１の搬入時において寸法の制約などの問題がある場合、水路外構造部１ｂおよび水路内構造部１ａを個別に水路Ｗ１に設置し、その後、これらを互いに連結させることもできる。この場合、除塵機１の設置の自由度が高まり、設置期間の増加をできる限り抑制することができる。
【００３９】
図１〜図３に示されるように、フレーム１１ａおよびフレーム１１ｂの各々の一部には、現場における施工を容易に行うために、複数の吊具１９が設けられている。例えば、フレーム１１ａの前方側、および、フレーム１１ｂの上面カバー１１ｂｔの四隅付近に、吊具１９が設けられている。これにより、除塵機１の設置時において、容易に吊り上げ搬入を行うことが可能となる。なお、実施の形態１では吊具１９がフレーム１１ａおよびフレーム１１ｂに設けられているが、除塵機１をバランス良く吊り上げられる場合には、吊具１９は、フレーム１１ａまたはフレーム１１ｂの少なくとも一方に設けられていればよい。
【００４０】
除塵機１を水路Ｗ１の内部に設置する際には、まず、上述の図２および図３を用いて説明したように、アンカーボルト２０などを用いて、ベース部材１５をスラブＷ１ｔに固定する工程が行われる。その後、水路Ｗ１の内部への除塵機１（水路内構造部１ａ）の設置には、アンカーボルト２０が用いられずに、楔部材２３、ボルト２４および支持ボルト２５などが使用されるので、水中部における基礎施工期間を大幅に短縮することができる。これについて、以下に具体的に説明する。
【００４１】
図５に示されるように、水路内構造部１ａのフレーム１１ａの一部には、ブラケット２２が設けられている。このブラケット２２と水路Ｗ１の側壁Ｗ１ｓとの間に、楔部材（楔板）２３を打ち込こむ工程が行われ、続いて、ブラケット２２に取り付けられたボルト２４を用いて楔部材２３を固定する工程が行われる。なお、楔部材２３およびボルト２４の固定位置は、複数のバースクリーン１２ａを保持する支持部材１２ｂが取り付けられた位置である。
【００４２】
このように、楔部材２３およびボルト２４によって、フレーム１１ａが水路Ｗ１の側壁Ｗ１ｓに固定されていることで、仮に側壁Ｗ１ｓに凹凸があった場合でも、上記凹凸は楔部材２３によって適切に吸収される。従って、フレーム１１ａを側壁Ｗ１ｓに容易に固定することができる。
【００４３】
また、楔部材２３には、ボルト２４が螺入されるネジ穴が形成されていると共に、ボルト２４用のブラケット２２の固定孔は、ボルト２４の位置調節が可能なように、長孔に形成されている。これにより、設置の自由度を向上させることができる。
【００４４】
なお、ブラケット２２、楔部材２３およびボルト２４は、フレーム１１ａの１箇所だけでなく複数箇所に設けられていてもよい。
【００４５】
図６〜図８は、除塵機１（フレーム１１ａ）の下部付近の構造を示している。図６は、図３の拡大側面図であり、図７および図８は、除塵機１の下部付近を示す平面図である。図７は、除塵機１のフレーム１１ａが水路Ｗ１の側壁Ｗ１ｓに固定される直前の状態を示し、図８は、フレーム１１ａが側壁Ｗ１ｓに固定された状態を示している。なお、ここで示されるフレーム１１ａの下部は、図５に示されるブラケット２２、楔部材２３およびボルト２４が設けられている箇所よりも下方に位置している。
【００４６】
図６〜図８に示されるように、フレーム１１ａの下部は、平坦部１１ａａおよび傾斜部１１ａｂを含み、傾斜部１１ａｂが、支持ボルト２５によって側壁Ｗ１ｓに固定される。図７に示されるように、傾斜部１１ａｂは、スクリーンユニット１２または水中部スプロケット３７などから離れる方向へ向かって、平坦部１１ａａに対して傾斜しており、平坦部１１ａａよりも水路Ｗ１の側壁Ｗ１ｓに近づく方向へ反っている。除塵機１の左方側（Ｙ２方向側）および右方側（Ｙ１方向側）には、それぞれ平坦部１１ａａおよび２つの傾斜部１１ａｂが設けられ、平坦部１１ａａは、除塵機１の前方側（Ｘ１方向側）の傾斜部１１ａｂと除塵機１の後方側（Ｘ２方向側）の傾斜部１１ａｂとの間に位置している。
【００４７】
平坦部１１ａａおよび傾斜部１１ａｂは、１つの部材からなり、フレーム１１ａの一部であるが、フレーム１１ａのうち傾斜部１１ａｂとなる箇所に対して、プレス機器などによって予め塑性加工が施されている。また、傾斜部１１ａｂにどの程度の傾斜を施すのかについては、水路Ｗ１の形状および流入条件などを考慮し、予め計算して設計することができる。
【００４８】
また、図８に示されるように、傾斜部１１ａｂが支持ボルト２５によって固定され、除塵機１が水路Ｗ１に設置された後には、傾斜部１１ａｂは、平坦部１１ａａとほぼ平行となる。
【００４９】
以下に、図９Ａ〜図９Ｃを用いて、図７の状態から図８の状態に至るまでの工程、すなわち、フレーム１１ａを側壁Ｗ１ｓに固定するための詳細な工程を説明する。図９Ａ〜図９Ｃは、傾斜部１１ａｂの周辺を示す拡大平面図である。
【００５０】
まず、図９Ａに示されるように、傾斜部１１ａｂに、支持ボルト２５、ナット２６およびナット２７を取り付ける。次に、除塵機１を水路Ｗ１の内部へ搬送する。この時、フレーム１１ａ（平坦部１１ａａおよび傾斜部１１ａｂ）は、側壁Ｗ１ｓに対向し、側壁Ｗ１ｓから若干離れている。
【００５１】
次に、図９Ｂに示されるように、支持ボルト２５の長さを調整し、支持ボルト２５を側壁Ｗ１ｓに押し付ける。次に、図９Ｃに示されるように、支持ボルト２５が側壁Ｗ１ｓに押し付けられた状態で、更に支持ボルト２５を調整し、傾斜部１１ａｂがスクリーンユニット１２または水中部スプロケット３７などに近づく方向へ向かって、傾斜部１１ａｂを押し出す。言い換えれば、支持ボルト２５を調整し、傾斜部１１ａｂが平坦部１１ａａと平行になる方向へ向かって、傾斜部１１ａｂを押し出す。傾斜部１１ａｂおよび平坦部１１ａａがほぼ平行となった状態で、ナット２６およびナット２７を締め付けることで、支持ボルト２５を介して傾斜部１１ａｂが側壁Ｗ１ｓに固定される。
【００５２】
ここで、傾斜部１１ａｂと側壁Ｗ１ｓとの間の固定力には、支持ボルト２５からの本来の圧力だけでなく、傾斜部１１ａｂが元の傾斜位置へ戻ろうとする反力も含まれる。例えば、傾斜部１１ａｂが最初から平坦部１１ａａと平行な状態、すなわち、傾斜部１１ａｂのような反りを有する箇所が存在していない状態において、支持ボルト２５を用いてフレーム１１ａを側壁Ｗ１ｓに固定した場合、上記反力は小さくなる。これに対して実施の形態１では、上記反力を十分に得ることができるので、フレーム１１ａと側壁Ｗ１ｓとの間の固定力を向上させることができる。
【００５３】
また、除塵機１の下端（フレーム１１ａの下端）が水路Ｗ１の底壁Ｗ１ｂから若干離れるように、除塵機１は水路Ｗ１に設置される。言い換えれば、除塵機１の水路内構造部１ａは、底壁Ｗ１ｂに接していない。このため、既設機器を更新する際に、池底においてレベル調整作業が軽減される。更新工事で一水路しかない現場などにおいては、更新工事の際に水を止められない場合もある。しかしながら、除塵機１の下部が池底に接することなく施工が可能であるので、水路Ｗ１を止水しない状況でも容易に施工できる。
【００５４】
例えば、底壁Ｗ１ｂの表面が平坦ではない場合もある。特に、更新工事の場合などでは、砂利または泥などが底壁Ｗ１ｂに堆積し、底壁Ｗ１ｂに凹凸が形成されている場合もある。そうすると、除塵機１を底壁Ｗ１ｂに対して水平に設置できない恐れがある。そこで、フレーム１１ａの下端が、水路Ｗ１の底壁Ｗ１ｂから離れていることで、そのような恐れを解消できる。
【００５５】
一方で、フレーム１１ａの下端が底壁Ｗ１ｂに接していないことで、水路Ｗ１を流れる水の力によってフレーム１１ａがぐらつき易くなり、除塵機１の安定性が低下する恐れがある。特に、フレーム１１ａの下部は、水面Ｗｔの下部にあるので、フレーム１１ａの下部は、他の箇所と比較してぐらつきが発生し易い。すなわち、除塵機１を水路Ｗ１の底壁Ｗ１ｂから離す場合には、フレーム１１ａと側壁Ｗ１ｓとの間に、強い固定力が求められる。
【００５６】
実施の形態１では、支持ボルト２５だけでなく、上述のように傾斜部１１ａｂからの反力にもよって、フレーム１１ａと側壁Ｗ１ｓとの間の固定力が従来よりも向上している。従って、フレーム１１ａの下部のぐらつきが抑制されるので、除塵機１の安定性を向上させることができる。
【００５７】
なお、上述した各効果は、除塵機１が水路Ｗ１の底壁Ｗ１ｂから離れていない場合であっても発揮されることは勿論である。
【００５８】
また、図５で説明した楔部材２３およびボルト２４を用いた工程、および、図９Ａ〜図９Ｃで説明した支持ボルト２５を用いた工程は、図２および図３で説明したアンカーボルト２０を用いた工程の後に行われる。しかし、図５の工程および図９Ａ〜図９Ｃの工程は、何れが先に行われてもよい。
【００５９】
（実施の形態２）
以下に図１０〜図１３を用いて、実施の形態２における除塵機１を説明する。なお、以下の説明では、実施の形態１との相違点を主に説明する。図１０および図１１は、除塵機１の下部付近を示す平面図であり、図７および図８に対応する箇所を示している。図１２および図１３は、除塵機１の下部付近の構造を示す拡大側面図であり、図６に対応する箇所を示している。また、図１３は、図１２から反力部材１１ａｃを省略した構造を示している。
【００６０】
実施の形態１では、平坦部１１ａａおよび傾斜部１１ａｂが１つの部材で構成されていたが、実施の形態２のフレーム１１ａでは、傾斜部１１ａｂに代えて、反力部材（傾斜部）１１ａｃが設けられている。
【００６１】
図１０および図１１に示されるように、反力部材１１ａｃは、傾斜部１１ａｂと同様に、スクリーンユニット１２または水中部スプロケット３７などから離れる方向へ向かって、平坦部１１ａａに対して傾斜している。反力部材１１ａｃは、平坦部１１ａａとは別の部材であるが、例えば溶接またはボルト締結によって平坦部１１ａａと連結され、フレーム１１ａの一部を構成している。
【００６２】
反力部材１１ａｃには、支持ボルト２５、ナット２６およびナット２７が取り付けられ、実施の形態１と同様の設置方法によって、反力部材１１ａｃは側壁Ｗ１ｓに固定される。
【００６３】
例えば、水路Ｗ１の形状または流入条件によって、除塵機１の最適な仕様および構造も変化するが、実施の形態１の傾斜部１１ａｂでは、傾斜角などの各種仕様を即座に最適な条件に適応させることが困難な場合もある。
【００６４】
図１２および図１３に示されるように、実施の形態２における反力部材１１ａｃは、平坦部１１ａａと別の部材であり、平坦部１１ａａと着脱が可能である。よって、例えば、予め傾斜角などが異なる反力部材１１ａｃを複数個用意しておき、現地にて最適な条件に適応した反力部材１１ａｃを選択することもできる。また、最適な反力を選択するために、反力部材１１ａｃが、平坦部１１ａａを構成する材料とは異なる材料で構成されていてもよい。
【００６５】
以上のように、実施の形態２における除塵機１では、実施の形態１と比較して、反力部材１１ａｃを平坦部１１ａａに連結させる工程が増えるが、傾斜部の設計自由度が向上し、現場の水路Ｗ１に最適な傾斜部を容易に選択することができる。
【００６６】
（実施の形態３）
以下に図１４および図１５を用いて、実施の形態３における除塵機１を説明する。なお、以下の説明では、実施の形態１との相違点を主に説明する。図１４は、除塵機１を示す正面図であり、図２に対応している。図１５は、除塵機１の下部付近を示す拡大側面図であり、図６に対応している。
【００６７】
図１４および図１５に示されるように、フレーム１１ａの下端およびスクリーンユニット１２を覆うように、フレーム１１ａの下部には、塞ぎ板２８が設けられている。塞ぎ板２８は、スクリーンユニット１２よりも除塵機１の前方側（Ｘ１方向側）に設けられ、水路Ｗ１の流水方向Ｗｄにおいてスクリーンユニット１２よりも上流側に設けられている。このような塞ぎ板２８は、主に、水路Ｗ１の底壁Ｗ１ｂを流れる粗大物からスクリーンユニット１２を保護するために設けられる。また、塞ぎ板２８が設けられていることで、水路Ｗ１の底壁Ｗ１ｂとフレーム１１ａとの間の隙間を、ある程度塞ぐことができる。
【００６８】
除塵機１に流入する粗大物のうち、比重が重い物は水路Ｗ１の底壁Ｗ１ｂを流れる。スクリーンユニット１２の底部において重い粗大物が堰き止められた場合、レーキ１３の運搬限界を超えるので、過負荷によって除塵機１が停止させられる恐れがある。実施の形態３では、塞ぎ板２８によって重い粗大物が堰き止められるので、過負荷による除塵機１の停止を抑制することができる。
【００６９】
ここで、塞ぎ板２８によって、粗大物と共に、水に含まれる塵芥も堰き止められるが、水は塞ぎ板２８を乗り越えて下流側へ流れる。従って、粗大物に比べて質量の小さい塵芥も、塞ぎ板２８を乗り越え、スクリーンユニット１２に到達し、レーキ１３によって掻き揚げられる。このように、塞ぎ板２８が設けられていることで、スクリーンユニット１２を破損させる恐れがあり、且つ、レーキ１３によって掻き揚げることが困難な粗大物を効率的に堰き止めることができる。
【００７０】
また、実施の形態１と同様に、除塵機１の最下端となる塞ぎ板２８の最下端が、水路Ｗ１の底壁Ｗ１ｂから若干離れるように、除塵機１は水路Ｗ１の内部に設置される。
【００７１】
なお、実施の形態３で開示した技術を、実施の形態２における除塵機１に適用してもよい。
【００７２】
（実施の形態４）
以下に図１６および図１７を用いて、実施の形態４における除塵機１を説明する。なお、以下の説明では、実施の形態１との相違点を主に説明する。図１６は、除塵機１を示す正面図であり、図２に対応している。図１７は、除塵機の下部付近を示す平面図であり、図８に対応している。
【００７３】
実施の形態１では、除塵機１の左方側（Ｙ２方向側）および右方側（Ｙ１方向側）に位置する傾斜部１１ａｂに対して、それぞれ個別に支持ボルト２５が取り付けられ、これらの支持ボルト２５は分離されていた。実施の形態４では、左方側および右方側の傾斜部１１ａｂに取り付けられる支持ボルト２９が、ナット３０を介して連結されている。
【００７４】
図１６および図１７に示されるように、Ｙ方向において、実施の形態４における支持ボルト２９の長さは、実施の形態１における支持ボルト２５の長さよりも長い。左方側の傾斜部１１ａｂに取り付けられた支持ボルト２９は、右方側へ延在し、ナット３０に接続されている。また、右方側の傾斜部１１ａｂに取り付けられた支持ボルト２９は、左方側へ延在し、ナット３０に接続されている。
【００７５】
除塵機１を水路Ｗ１へ設置する際には、ナット３０または支持ボルト２９を回転させ、ナット３０に接続された２つの支持ボルト２９の長さをそれぞれ調整することで、２つの支持ボルト２９が、それぞれ左方側および右方側の側壁Ｗ１ｓに押し付けられる。そして、傾斜部１１ａｂが平坦部１１ａａとほぼ平行となり、フレーム１１ａが側壁Ｗ１ｓに固定される。
【００７６】
このような支持ボルト２９およびナット３０を用いることで、実施の形態４では、実施の形態１のような個別での反力に比べて、より大きな反力を得ることができる。従って、フレーム１１ａと側壁Ｗ１ｓとの間の固定力を更に向上させることができ、除塵機１の安定性を更に向上させることができる。
【００７７】
なお、実施の形態４で開示した技術を、実施の形態２および実施の形態３における除塵機１に適用してもよい。
【００７８】
以上、上記実施の形態に基づいて本発明を具体的に説明したが、本発明は、上記実施の形態に限定されるものではなく、その要旨を逸脱しない範囲で種々変更可能である。
【００７９】
例えば、除塵機１が用いられる沈砂池設備として、上記実施の形態では主に下水処理場または上水処理場を例示したが、除塵機１は、ポンプ場または揚排水機場にも適用できるし、河川用、農業用水路用、産業関連用または食品関連用の除塵設備などにも適用できる。
【符号の説明】
【００８０】
１    除塵機
１ａ    水路内構造部
１ｂ    水路外構造部
１１    フレーム
１１ａ    フレーム（水路内フレーム）
１１ａａ    平坦部
１１ａｂ    傾斜部
１１ａｃ    反力部材（傾斜部）
１１ｂ    フレーム（水路外フレーム）
１１ｂｂ    後面カバー
１１ｂｆ    前面カバー
１１ｂｔ    上面カバー
１１ｃ    フレーム（前方部フレーム）
１２    スクリーンユニット
１２ａ    バースクリーン
１２ｂ    支持部材
１３    レーキ
１４    ガイドレール
１５    ベース部材
１６    エプロン
１７    ワイパー
１８    コンテナ
１９    吊具
２０    アンカーボルト
２１    仕舞部材
２２    ブラケット
２３    楔部材
２４    ボルト
２５    支持ボルト
２６    ナット
２７    ナット
２８    塞ぎ板
２９    支持ボルト
３１    電動機
３２    駆動チェーン
３３    駆動スプロケット
３４    駆動軸
３５    本体スプロケット
３６    本体チェーン
３７    水中部スプロケット
Ｗ１    水路
Ｗ１ｂ    底壁
Ｗ１ｓ    側壁
Ｗ１ｔ    スラブ
Ｗｔ    水面
Ｗｄ    流水方向
【図１】
0006953491.tif 000002
【図２】
0006953491.tif 000003
【図３】
0006953491.tif 000004
【図４】
0006953491.tif 000005
【図５】
0006953491.tif 000006
【図６】
0006953491.tif 000007
【図７】
0006953491.tif 000008
【図８】
0006953491.tif 000009
【図９Ａ】
0006953491.tif 000010
【図９Ｂ】
0006953491.tif 000011
【図９Ｃ】
0006953491.tif 000012
【図１０】
0006953491.tif 000013
【図１１】
0006953491.tif 000014
【図１２】
0006953491.tif 000015
【図１３】
0006953491.tif 000016
【図１４】
0006953491.tif 000017
【図１５】
0006953491.tif 000018
【図１６】
0006953491.tif 000019
【図１７】
0006953491.tif 000020